(57)【特許請求の範囲】
【請求項１】
根太又は下地材に、複数のデッキ材を概ね平行に配置し、固定具を用いて固定するデッキ材の固定構造であって、
前記両側のデッキ材は対向する側面に、それぞれ対向した開口部からなる凹部を有し、
一方のデッキ材は下面側の側部から他方のデッキ材側に向けて突出形成された突片部を有し、
前記他方のデッキ材は前記突片部を呑み込むための切欠き部を有し、
前記固定具は、前記突片部の上面に当接する押え部と、前記両側のデッキ材に設けた凹部に係止する一対の係止部を有し、
一方のデッキ材の突片部を他方のデッキ材の切欠き部に呑み込ませた状態で前記固定具に設けた一対の係止部をデッキ材の凹部に位置させ、ネジ部材を固定具の押え部の上から前記デッキ材の突片部を貫通させて前記根太又は下地材にネジ止めするものであり、
前記ネジ部材はネジ径よりも大きい頭部を有するとともに当該頭部の外径寸法よりも前記両側のデッキ材の上面側の隙間幅の方が小さく、且つネジ部材の全長が前記両側のデッキ材に設けた凹部の内側上端面の高さ寸法よりも短いことを特徴とするデッキ材の固定構造。
【請求項２】
前記固定具は、両側のデッキ材の間隔を位置決めするための位置決め部を有することを特徴とする請求項１記載のデッキ材の固定構造。
【請求項３】
前記固定具は前記ネジ部材の頭部の高さがネジ止め時に低くなるように前記頭部の収容部を有することを特徴とする請求項１又は２記載のデッキ材の固定構造。
【発明の詳細な説明】
【技術分野】
【０００１】
本発明は、テラスやバルコニー等にデッキ材と称される床材を施工する際のデッキ材の固定構造に関する。
【背景技術】
【０００２】
デッキ材は、建築物の庭等に設けたテラスの床材，あるいは建築物の居室から外側に張り出したバルコニーやベランダ等の床材として使用される。
この場合に複数のデッキ材が所定の隙間を設けて概ね平行に敷設されている。
これは、排水性等を考慮して隙間を設けたものだが、従来は例えば特許文献１，２に示すように金具や固定具にて両側のデッキ材を押え付けるだけのものであり、デッキ材の隙間から根太や下地材が見え見映えが悪く、しかも何らかの理由にて金具や固定具が緩むとデッキ材が長手方向にズレてしまう問題があった。
また、従来のデッキ材の固定方法では、金具の大きさやビス等のネジ部材の頭部の大きさが制限になり、上記隙間を小さくするのが難しく、コイン等の小物の落下が問題になるだけでなく、保育所や幼稚園等においては子供の指が挟まれたり、介護施設等においては歩行者が躓く恐れもあった。
さらには、デッキ材の施工後に何らかの理由により、一部のデッキ材のみを取り外し、交換可能である必要もあった。
【先行技術文献】
【特許文献】
【０００３】
【特許文献１】特許第５３７７１９６号公報
【特許文献２】特許第５３０２６６２号公報
【発明の概要】
【発明が解決しようとする課題】
【０００４】
本発明は、デッキ材間の隙間を小さくでき、このデッキ材のズレを防止したデッキ材の固定構造の提供を目的とする。
【課題を解決するための手段】
【０００５】
本発明に係るデッキ材の固定構造は、根太又は下地材に、複数のデッキ材を概ね平行に配置し、固定具を用いて固定するデッキ材の固定構造であって、前記両側のデッキ材は対向する側面に、それぞれ対向した開口部からなる凹部を有し、一方のデッキ材は下面側の側部から他方のデッキ材側に向けて突出形成された突片部を有し、前記他方のデッキ材は前記突片部を呑み込むための切欠き部を有し、前記固定具は、前記突片部の上面に当接する押え部と、前記両側のデッキ材に設けた凹部に係止する一対の係止部を有し、一方のデッキ材の突片部を他方のデッキ材の切欠き部に呑み込ませた状態で前記固定具に設けた一対の係止部をデッキ材の凹部に位置させ、ネジ部材を固定具の押え部の上から前記デッキ材の突片部を貫通させて前記根太又は下地材にネジ止めするものであり、前記ネジ部材はネジ径よりも大きい頭部を有するとともに当該頭部の外径寸法よりも前記両側のデッキ材の上面側の隙間幅の方が小さく、且つネジ部材の全長が前記両側のデッキ材に設けた凹部の内側上端面の高さ寸法よりも短いことを特徴とする。
【０００６】
ここでデッキ材は、相対的に幅寸法よりも長さが長い平板状の建材であり、木材，樹脂材，木粉と樹脂との複合材等、各種材料で製作されており、軽量化等の目的で中空断面形材等も使用されている。
これらのデッキ材は、根太や下地材等にて架設される場合が多いが、本発明はテラス，バルコニー，ベランダ等として、複数のデッキ材が所定の隙間を形成するように施工される場合の全てが含まれる。
【０００７】
本発明において、固定具は、両側のデッキ材の間隔を位置決めするための位置決め部を有するようにしてもよい。
このようにすると、一方のデッキ材に固定具を配置し、他方のデッキ材を固定具の位置決め部に押し付けるように並べるだけで、デッキ材間の間隔が一定になる。
【０００８】
本発明において、固定具は前記ネジ部材の頭部の高さがネジ止め時に低くなるように前記頭部の収容部を有するようにしてもよい。
このようにすると、収容部の深さの分だけネジ部材の全長を短くすることができる。
【発明の効果】
【０００９】
本発明に係るデッキ材の固定構造においては、概ね平行に配置した両側のデッキ材を固定具に設けた一対の係止部で押えるように係止するだけでなく、固定具に有する押え部の上部からネジ部材のネジ先端部を挿通及びデッキ材の突片部を貫通させ、根太又は下地材にネジ止めするので、仮にネジ部材が多少緩むことがあっても突片部をネジ部材が貫通しているので、ズレることはない。
また、デッキ材の両側に着目すると、一方の側部は突片部でネジ固定されているのに対して、他方の側部は係止部で係止されているだけなので、気温等の変化によるデッキ材及び根太等の伸縮変量を吸収することができる。
本発明においては、一方のデッキ材の突片部が他方のデッキ材の切欠き部に呑み込まれた状態で固定されるので、デッキ材の隙間から根太や下地材が見えず見映えがよく、コイン等の小物がこの隙間に入ってもデッキ材の突片部に載り、根太等の隙間から落下することはない。
本発明においては、ネジ部材の全長が両側のデッキ材の対向面に向けて開口した凹部の内側上端面の高さ寸法よりも短いので、両側のデッキ材の上面側の隙間幅よりもネジ部材の頭部外径が大きくても、この隙間から挿入できる工具を用いることで部分的にデッキ材を取り外したり、交換したりすることができる。
【図面の簡単な説明】
【００１０】
【図１】本発明に係るデッキ材の固定手順例を示す。（ａ）は一方のデッキ材の部分断面図、（ｂ）は固定具を一方のデッキ材に仮止めした状態、（ｃ）は他方のデッキ材の側部の凹部に固定具の係止部が位置するように押し付け、工具（ドライバ−）でネジ部材を締め付ける状態、（ｄ）は両側のデッキ材を固定具でネジ止めした状態を示す。
【図２】（ａ）は固定具を上方斜めから見た斜視図を示し、（ｂ）は固定具を押え部の裏面側から見た斜視図、（ｃ）は位置決め部の溝状収容部に沿って見た固定具の斜視図、（ｄ）はネジ部材のネジ込み模式図を示す。
【図３】（ａ）は複数のデッキ材を根太等に固定した状態、（ｂ）はそのうち１つのデッキ材を取り外すために両側のネジ部材を緩めた状態、（ｃ）は中央のデッキ材を取り外した状態を示す。
【図４】図３の（ａ），（ｂ），（ｃ）に対応したそれぞれの部分拡大図を示す。
【図５】固定具の第２の実施例を示し、（ａ）は根太等にネジ止めした状態、（ｂ）はネジ部材を緩めた状態、（ｃ）は固定具の斜視図を示す。
【図６】固定具の第３の実施例を示す。
【発明を実施するための形態】
【００１１】
本発明に係るデッキ材の固定構造例を以下図に基づいて説明するが、本発明はこの実施例に限定されない。
【００１２】
図１に固定具２０とネジ部材３０を用いて、デッキ材１０を根太（図示省略）等に固定する手順を示し、図２に固定具２０の構造例を示す。
デッキ材１０は、全幅の断面図を図３に示すように上面部１１と下面部１２とからなる概ね平板状の形材であり、本実施例は複数のリブ１６を有する中空断面形状である。
デッキ材１０の一方の側部は、対向面が開口した凹部１３と下面部１２に沿って側部の外側に突出した突片部１４を有する。
デッキ材１０の他方の側部は、図１にて２本の平行に配置したデッキ材１０の他方のデッキ材の側部と同じであり、対向面が開口した凹部１３と一方のデッキ材に設けた突片部１４を呑み込むための切欠き部１５を有する。
これにより、両側のデッキ材１０の隙間からはこの突片部で根太等の隙間が塞がれて見えなくなり、コイン等の小物が隙間に入ってもこの突片部１４でそれ以上落下するのを防ぐ。
ここで、突片部１４と切欠き部１５との間には所定の隙間を形成し、排水性を確保している。
【００１３】
固定具２０は、図２に示すようにデッキ材１０の突片部１４に当接させる押え部２１の両側から位置決め部２２となる一対に縦壁部を対向立設し、その上端部を両外側に折り曲げて一対の係止部２３を形成してある。
押え部２１の中央部には、ネジ部材３０の挿通孔２１ａを有する。
両側のデッキ材の間隔をできるだけ狭くするために押え部の幅を狭くするとともに、一対の位置決め部（縦壁）２２の間隔をネジ部材３０の頭部３１の外径Ｄ１よりも狭くした。
そこで挿通孔２１ａの両側の縦壁を切り欠き、ネジ部材３０の頭部３１が納まる寸法Ｄ４にした。
押え部２１に設けた挿通孔２１ａの内径は、ネジ部材の頭部外径Ｄ１より小さく、ネジ径（軸部径）Ｄ０とほぼ同等か若干大きい寸法になっている。
また、本実施例ではこの挿通孔の内径と位置決め部２２の内側寸法Ｄ３とも同等の寸法になっている。
【００１４】
図１（ｂ）に示すように、固定具３０の一方の係止部２３が凹部の内側下端面１３ｂに位置するようにネジ部材３０のネジ先端部を突片部１４に螺入させ、仮止めする。
次に図１（ｃ）に示すように、もう１つのデッキ材（他方のデッキ材）１０の切欠き部１５の下側に突片部１４の先端を呑み込ませるようにして、突出部１５ａを固定具２０の係止部２３の下側に押し込む。
この際に、固定具２０の位置決め部２２の両側の側面部が一方のデッキ材に設けた当接壁部１４ａと、他方のデッキ材の突出部１５ａにて挟み込まれることで、両側のデッキ材の上面側の上面側部１１ａ，１１ａ間の隙間寸法Ｗが一定に定まる。
この上面側部１１ａ間の寸法Ｗは、ネジ部材３０の頭部外径Ｄ１よりも小さい。
この隙間Ｗからドライバー等の工具を挿入し、ネジ込むことで図１（ｄ）に示すようにデッキ材が根太等に固定される。
これにより、従来はＷ寸法が５ｍｍ程度が限界とされていたのに対して、本発明ではそれ以下３〜４．５ｍｍ程度まで狭くできる。
【００１５】
本発明において特徴的なのは、ネジ部材３０のネジ径Ｄ０より大きい外径Ｄ１の頭部は、両側の凹部１３内に納まり、ネジ部材３０の全長Ｌがデッキ材１０の下面部１２から凹部１３の内側上端面（部）１３ａまでの高さＨよりも短くした点にある。
これにより、図３（ｂ）に示すようにデッキ材を固定施工した後に一部のデッキ材のみを取り外す場合に、ドライバー等でネジ部材３０を緩めるとネジ部材３０が抜け、頭部３１が上昇する。
本発明においては、ネジ部材の全長Ｌが凹部の内側上端面１３ａまでの高さＨよりも短いので、ネジ部材３０の頭部３１がこの内側上端面１３ａに当たる前にネジ部材３０の先端部が根太等から外れてしまう。
これにより、図４（ｃ）に拡大図を示すように一部のデッキ材のみを取り外すことができ、この逆の手順で替わりのデッキ材を取り付けることができる。
【００１６】
図５は、固定具の第２の実施例を示す。
固定具１２０は、断面略Ｔ字状であり、ブロック状の押え部１２１の両側に位置決め部１２２を形成し、その上側につば状の一対の係止部１２３を形成した例である。
この場合にネジ部材の挿通孔１２１ａの内径寸法を二段形状にし、上側の内径をネジ部材３０の頭部３１が収容される大きさにし、下側の内径をネジ部（軸部）３２の外径に合せ、上側の内径よりも小さくしてある。
【００１７】
図６は、固定具の第３の実施例を示す。
本実施例は、図１に示した固定具２０に対して一方の係止部２３の先端部を上方に折り曲げたものである。
固定具２２０は、押え部２２１の両側から位置決め部２２２を立設し、上端側の両側に折り曲げ係止部２２３を形成するとともに、その先を上方に略直角に折り曲げ、仮止め片部２２５を形成した。
また、突片部１４を有する側の凹部１３の奥側に差し込み溝部１７を有し、この凹部１３に固定具２２０を仮止めできるようになっている。
【符号の説明】
【００１８】
１０      デッキ材
１１      上面部
１１ａ    上面側部
１２      下面部
１３      凹部
１３ａ    凹部の内側上端面
１３ｂ    凹部の内側下端面
１４      突片部
１５      切欠き部
２０      固定具
２１      押え部
２２      位置決め部
２３      係止部
３０      ネジ部材
３１      頭部
３２      軸部
【図１】
0006263759.tif 000002
【図２】
0006263759.tif 000003
【図３】
0006263759.tif 000004
【図４】
0006263759.tif 000005
【図５】
0006263759.tif 000006
【図６】
0006263759.tif 000007